(57)【要約】【課題】ユーザが所望する番組を見逃すことを防止する携帯型デジタル放送受信装置を提供することである。【解決手段】本発明は、放送データを受信し、コンテンツの映像を画面に表示する携帯型の放送受信装置である。放送受信装置は、出力状態判定部と、嗜好情報格納部と、嗜好判定部と、通知部とを備えている。出力状態判定部は、コンテンツの映像が画面に出力されているか否かを判定する。嗜好判定部は、出力状態判定部においてコンテンツの映像が画面に出力されていないと判定された場合、受信された放送データに含まれる種類情報と嗜好情報とに基づいて、当該放送データに含まれるコンテンツがユーザの嗜好に合致するか否かを判定する。通知部は、嗜好判定部によって合致すると判定された場合、当該判定結果をユーザに対して通知する。【選択図】        図１
2004282638.tif 000002
【特許請求の範囲】
【請求項１】
番組のコンテンツと番組に関する番組情報とを含む放送データを受信し、当該コンテンツの映像を画面に表示する携帯型の放送受信装置であって、
前記番組情報には、番組の種類を示す種類情報が含まれており、
コンテンツの映像が画面に出力されているか否かを判定する出力状態判定部と、
ユーザが嗜好するコンテンツの種類を示す嗜好情報を格納する嗜好情報格納部と、
前記出力状態判定部においてコンテンツの映像が画面に出力されていないと判定された場合、受信された放送データに含まれる種類情報と前記嗜好情報格納部に格納されている嗜好情報とに基づいて、当該放送データに含まれるコンテンツがユーザの嗜好に合致するか否かを判定する嗜好判定部と、
前記嗜好判定部によって、当該放送データに含まれるコンテンツがユーザの嗜好に合致すると判定された場合、当該判定結果をユーザに対して通知する通知部とを備える、放送受信装置。
【請求項２】
前記番組情報には、現時点で放送されている番組の後に放送される番組の種類情報および開始時刻情報が含まれており、
受信した放送データに含まれる前記開始時刻情報に基づいて、前記嗜好判定部に対して判定の開始を指示する開始指示部をさらに備え、
前記嗜好判定部は、前記開始指示部による指示に応じて判定を行う、請求項１に記載の放送受信装置。
【請求項３】
前記開始指示部は、現在時刻が前記開始時刻情報により示される時刻から所定時間前になると、前記嗜好判定部に対して開始を指示する、請求項２に記載の放送受信装置。
【請求項４】
放送データを受信する受信手段の電源を制御する電源制御部をさらに備え、
前記嗜好判定部は、所定数のチャンネルについて、放送データに含まれるコンテンツがユーザの嗜好に合致するか否かを判定し、
前記電源制御部は、前記所定数のチャンネルすべてについて前記嗜好判定部による判定が行われてから、前記嗜好判定部が次に判定を行うまでの間、前記受信手段に対して給電を停止する、請求項２に記載の放送受信装置。
【請求項５】
コンテンツの映像が画面に出力されている間にユーザによって行われるチャンネル操作を検出する操作検出手段をさらに備え、
前記嗜好判定部は、前記操作検出手段がユーザによるチャンネル操作を検出した場合、当該チャンネル操作後に受信される放送データに含まれるコンテンツがユーザの嗜好に合致するか否かを判定する、請求項１に記載の放送受信装置。
【請求項６】
前記番組情報には、現時点で放送されている番組の種類情報および開始時刻情報が含まれており、
前記嗜好判定部は、所定の時間間隔で、受信された放送データに含まれるコンテンツがユーザの嗜好に合致するか否かを判定する、請求項１に記載の放送受信装置。
【発明の詳細な説明】
【０００１】
【発明の属する技術分野】
本発明は、デジタル放送受信装置に関し、より特定的には、番組情報を含む放送データを受信する携帯型の放送受信装置に関する。
【０００２】
【従来の技術】
テレビを視聴することは各家庭で毎日のように行われており、ニュース、映画、スポーツなど多岐にわたる番組が放送されている。視聴者は、多岐にわたる番組から自らの嗜好に合った番組を探すために、一般的に、新聞や雑誌に記載される番組の一覧を用いる。また、近年では、デジタル放送において、番組の情報を電子的に提供する技術が提案されている。例えば、電子番組ガイド（ＥＰＧ）を放送データに含めて送信したり、インターネット経由で提供することが可能である。
【０００３】
ＥＰＧのような番組一覧から視聴したい番組を探す作業は、放送のデジタル化に伴うチャンネル数の増加によって、視聴者にとって非常に複雑かつ困難になってきている。そこで、視聴者の探索負担を軽減するために、多数の視聴可能番組から適切な（視聴者が見ることを希望すると思われる）番組を自動的に選択し、視聴者に提示する技術が考えられている（例えば、特許文献１および特許文献２参照。）。これらの技術では、典型的には、番組の視聴開始時（ユーザがテレビをつけた時）や視聴中において、ユーザの指示に応答して、ユーザの嗜好に合った番組の情報が画面に表示される。
【０００４】
ところで、近年、地上デジタル放送のサービスとして携帯端末向けのテレビ放送（１セグメント放送）が開始されようとしており、当該テレビ放送を受信可能な携帯型の放送受信装置（例えば、当該テレビ放送の受信機能を有する携帯電話機）の需要も高まっている。なお、携帯端末向けのテレビ放送においても、放送データに番組の情報等の付帯情報を付加することによってＥＰＧを視聴者に提供することが考えられている。
【０００５】
【特許文献１】
特開２００１−１８９８９６号公報
【特許文献２】
特開平１０−２４３３０９号公報
【０００６】
【発明が解決しようとする課題】
上記のような、携帯端末向けのテレビ放送に対応する携帯型の放送受信装置には、ユーザが放送受信装置を常に携帯して使用するという特徴がある。つまり、携帯端末の場合、ユーザは、当該装置を携帯しているので、時間や場所に関係なく番組を見ることができる。従って、携帯型の放送受信装置では、移動中のようなわずかな空き時間でテレビを見るといった、従来の据え置き型にはない新たな視聴形態が考えられる。このような視聴形態においては、ユーザは、見たい番組があれば即座にテレビをつけて番組を楽しむことができる。
【０００７】
ここで、携帯型の放送受信装置においても、据え置き型と同様、ユーザの嗜好に合った番組の情報が提示されることが望ましい。携帯型の放送受信装置では、据え置き型に比べて画面が小さいので、ＥＰＧのような多くの文字情報が含まれる情報を画面に表示することが困難だからである。従って、携帯型の放送受信装置についても、ユーザの嗜好に合った番組の情報を提示するための従来の技術を適用することが考えられる。
【０００８】
しかし、従来の技術では、据え置き型の放送受信装置が前提であり、ユーザの嗜好に合った番組の情報は、番組の視聴開始時や視聴中において画面に表示されることによって提示される。つまり、放送受信装置が利用されていない場合には、ユーザに対して何らかの提示をすることができない。従って、携帯型の放送受信装置には、時間や場所に関係なくテレビを見ることができるという利点があるにもかかわらず、従来の技術では、放送受信装置が使用されていない（番組が画面に表示されていない）時にユーザの好みの番組が放送されると、ユーザはそれに気づかず、好みの番組を見逃してしまうという問題があった。
【０００９】
それ故に、本発明の目的は、ユーザが所望する番組を見逃すことを防止する携帯型デジタル放送受信装置を提供することである。
【００１０】
【課題を解決するための手段および発明の効果】
本発明は、番組のコンテンツと番組に関する番組情報とを含む放送データを受信し、当該コンテンツの映像を画面に表示する携帯型の放送受信装置である。ここで、番組情報には、番組の種類を示す種類情報が含まれているとする。なお、種類情報とは、番組のジャンルを示す情報の他、番組を識別するためのＩＤ、番組のタイトル、および番組の内容の詳細な情報を含む概念である。放送受信装置は、出力状態判定部と、嗜好情報格納部と、嗜好判定部と、通知部とを備える。出力状態判定部は、コンテンツの映像が画面に出力されているか否かを判定する。嗜好情報格納部は、ユーザが嗜好するコンテンツの種類を示す嗜好情報を格納する。嗜好判定部は、出力状態判定部においてコンテンツの映像が画面に出力されていないと判定された場合、受信された放送データに含まれる種類情報と嗜好情報格納部に格納されている嗜好情報とに基づいて、当該放送データに含まれるコンテンツがユーザの嗜好に合致するか否かを判定する。通知部は、嗜好判定部によって、当該放送データに含まれるコンテンツがユーザの嗜好に合致すると判定された場合、当該判定結果をユーザに対して通知する。
【００１１】
上記によれば、視聴状態判定部によって、ユーザがテレビ放送を視聴しているか否かを判定することができる。そして、ユーザがテレビ放送を視聴していない場合に、ユーザの嗜好に合致する番組が放送されていれば、そのことをユーザに通知することができる。従って、ユーザが所望する番組を見逃すことを防止する携帯型デジタル放送受信装置を提供することができる。
【００１２】
また、上記において、番組情報には、現時点で放送されている番組の後に放送される番組の種類情報および開始時刻情報が含まれている場合、放送受信装置は、受信した放送データに含まれる開始時刻情報に基づいて、嗜好判定部に対して判定の開始を指示する開始指示部をさらに備えてもよい。このとき、嗜好判定部は、開始指示部による指示に応じて判定を行う。以上によれば、現時点で放送されている次以降の番組について、当該番組の放送前に通知を行うことができる。従って、ユーザが番組の冒頭部を見逃すことを防止することができる。
【００１３】
また、上記において、開始指示部は、現在時刻が開始時刻情報により示される時刻から所定時間前になると、嗜好判定部に対して開始を指示してもよい。これによれば、番組の開始前に確実に通知を行うことができる。
【００１４】
また、上記において、放送受信装置は、放送データを受信する受信手段の電源を制御する電源制御部をさらに備えていてもよい。このとき、嗜好判定部は、所定数のチャンネルについて、放送データに含まれるコンテンツがユーザの嗜好に合致するか否かを判定する。また、電源制御部は、所定数のチャンネルすべてについて嗜好判定部による判定が行われてから、嗜好判定部が次に判定を行うまでの間、受信手段に対して給電を停止する。以上によれば、嗜好判定部によって判定が行われない間、すなわち、番組情報を受信する必要がない間における、受信手段が要する無駄な電力を節減することができる。
【００１５】
また、上記において、放送受信装置は、コンテンツの映像が画面に出力されている間にユーザによって行われるチャンネル操作を検出する操作検出手段をさらに備えていてもよい。このとき、嗜好判定部は、操作検出手段がユーザによるチャンネル操作を検出した場合、当該チャンネル操作後に受信される放送データに含まれるコンテンツがユーザの嗜好に合致するか否かを判定する。これによれば、テレビを視聴中のユーザがチャンネル操作を行った場合、当該操作後のチャンネルの番組がユーザの嗜好と合致するか否かを、ユーザは知ることができる。従って、チャンネル操作後の番組がＣＭ中であったとしても、ユーザは、当該番組が自分の好みの番組であるかどうかを知ることができる。
【００１６】
なお、上記において、番組情報には、現時点で放送されている番組の種類情報および開始時刻情報が含まれている場合、嗜好判定部は、所定の時間間隔で、受信された放送データに含まれるコンテンツがユーザの嗜好に合致するか否かを判定してもよい。
【００１７】
【発明の実施の形態】
図１は、本発明の一実施形態に係る放送受信装置の構成を示すブロック図である。図１に示す放送受信装置は、放送局から無線で放送されてくる放送データを受信し、放送データに含まれている番組コンテンツの映像を画面に表示する、携帯型の端末である。また、本放送受信装置は、ユーザがテレビ放送を視聴していない場合においてユーザの好みの番組が放送されると、ユーザに対して通知を行うものである。なお、本放送受信装置は、例えば、携帯端末向けのデジタル放送（１セグメント放送）の受信機能が付加された携帯電話機として実現される。
【００１８】
図１の詳細を説明する前に、本実施形態における放送データの内容を説明する。図２は、本実施形態に係る放送受信装置が受信する放送データの内容を示す図である。図２に示すように、放送局からの放送データには、番組のコンテンツ、選局情報、および番組情報が含まれている。番組のコンテンツは、映像データと音声データとからなる。選局情報は、パケットのパケットＩＤであり、放送データから映像データおよび音声データを分離する際に必要となる情報である。選局情報は、後述する多重分離部１０２において用いられる。番組情報は、放送される番組に関する情報である。また、放送データには、現時点で放送されている番組に関する番組情報（「現番組情報」と呼ぶ。）と、当該番組の次に放送される番組に関する番組情報（次番組情報」と呼ぶ。）とが含まれている。本実施形態では、各番組情報には、それぞれ、番組を識別するための番組ＩＤ、番組のタイトル、番組のジャンル、番組の内容の詳細な情報、番組の開始時刻、および番組の終了時刻が含まれている。
【００１９】
次に、放送受信装置の構成を図１を用いて説明する。図１において、放送受信装置は、フロントエンド部１０１と、多重分離部１０２と、伸張部１０３と、出力部１０４とを備える。フロントエンド部１０１は、放送局から無線で放送されてくる放送データ（放送信号）を受信すると、受信した信号を復調してトランスポートストリームを多重分離部１０２に出力する。なお、フロントエンド部１０１が受信する放送信号の周波数は、後述する受信制御部１０５によって指定される。
【００２０】
多重分離部１０２は、フロントエンド部１０１からトランスポートストリームを入力すると、当該トランスポートストリームを各種データに分離する。具体的には、トランスポートストリームは、映像データと、音声データと、番組情報のデータと、選局情報のデータとに分離される。なお、映像データおよび音声データの分離は、上述の選局情報に基づいて行われる。放送される番組のコンテンツデータである映像データおよび音声データは、伸張部１０３に出力される。番組情報のデータは、後述する番組情報格納部１１１に格納される。選局情報のデータは、後述する選局情報格納部１０９に格納される。
【００２１】
伸張部１０３は、多重分離部１０２から映像データおよび音声データを入力すると、それぞれのデータを伸張（デコード）する。出力部１０４は、伸張部１０３によって伸張された映像データに基づいて、番組のコンテンツの映像出力を行い、伸張部１０３によって伸張された音声データに基づいて、番組のコンテンツの音声出力を行う。例えば、出力部１０４は、ＬＣＤ等の表示装置およびスピーカ等やヘッドフォン等の音声出力装置によって構成される。なお、以上に説明した、放送データを受信してから映像出力および音声出力を行うまでの構成は、従来の放送受信装置と同様の構成によって実現可能である。
【００２２】
さらに、図１において、放送受信装置は、受信制御部１０５と、出力状態判定部１０６と、操作検出部１０７と、電源制御部１０８と、各種の格納部１０９〜１１３と、嗜好判定部１１４と、時計部１１５と、開始指示部１１６と、通知部１１７とを備える。
【００２３】
出力状態判定部１０６は、番組のコンテンツの映像が表示装置の画面に出力されているか否かを判定することによって、ユーザがテレビ放送の視聴中であるか否かを判定する。例えば、出力状態判定部１０６は、放送受信装置が折り畳み式の端末である場合、当該装置が折り畳まれていることを検知するによって、コンテンツの映像が表示装置の画面に出力されていないと判定することができる。逆に、当該装置が折り畳まれていなければ、コンテンツの映像が表示装置の画面に出力されていると判定することができる。その他、出力状態判定部１０６は、表示装置の電源のＯＮ／ＯＦＦによって、コンテンツの映像が表示装置の画面に出力されているか否かを判定してもよい。また、放送受信装置がテレビ放送を受信する機能以外の機能（例えば、電話機能）を有する場合には、装置のモードがテレビ放送受信機能のモードであるかその他の機能のモードであるかによって、コンテンツの映像が表示装置の画面に出力されているか否かを判定してもよい。
【００２４】
操作検出部１０７は、ユーザによって行われるチャンネル操作を検出する。具体的には、操作検出部１０７は、ボタンやＧＵＩを用いたユーザの操作を検出する。検出されたチャンネル操作の情報は、受信制御部１０５に出力される。
【００２５】
電源制御部１０８は、放送データを受信する受信手段の電源を制御する。つまり、ここでいう「電源」とは、放送受信装置における放送データを受信する機能に関する電源をいい、「受信手段」とは、具体的には、フロントエンド部１０１および多重分離部１０２である。なお、以下において、放送データを受信する受信手段の電源を、表示装置の電源や、放送受信装置全体の電源と区別するため、「受信電源」と呼ぶ。
【００２６】
上述した各種の格納部１０９〜１１３とは、具体的には、選局情報格納部１０９、チャンネルリスト格納部１１０、番組情報格納部１１１、嗜好情報格納部１１２、および次番組時刻格納部１１３である。選局情報格納部１０９は、多重分離部１０２において分離された選局情報を格納する。チャンネルリスト格納部１１０は、放送受信装置が受信可能なチャンネルのリストを予め格納している。番組情報格納部１１１は、多重分離部１０２において分離された番組情報を格納する。嗜好情報格納部１１２は、ユーザが嗜好するコンテンツの種類を示す嗜好情報を予め格納している。本実施形態では、番組のジャンル（例えば、スポーツや、ドラマ）の情報が嗜好情報として嗜好情報格納部１１２に格納される。次番組時刻格納部１１３は、次の番組が開始される時刻を示す次番組時刻情報を格納する。
【００２７】
嗜好判定部１１４は、嗜好情報格納部１１２に格納されているジャンル情報の中に、番組情報格納部１１１に格納されている番組情報に含まれるジャンル情報と一致するものがあるか否かを判定する。嗜好判定部１１４は、受信された放送データに含まれるコンテンツがユーザの嗜好に合致するか否かを判定するためのものである。時計部１１５は、現在時刻の情報を生成し、開始指示部１１６に出力する。開始指示部１１６は、時計部１１５において生成された現在時刻と、次番組時刻格納部１１３に格納されているサーチ時刻とを比較し、比較の結果に応じて、受信制御部１０５を介して嗜好判定部１１４に対して判定の開始を指示する。
【００２８】
通知部１１７は、嗜好判定部１１４の指示に応じて、嗜好判定部１１４の判定結果をユーザに対して通知する。すなわち、通知部１１７は、受信された放送データに含まれるコンテンツがユーザの嗜好に合致することをユーザに対して通知する。本実施形態においては、通知部１１７は、例えば携帯電話機に用いられる振動モータによって構成され、嗜好判定部１１４からの指示に応じて、自らが振動することによって放送受信装置を振動させる。なお、通知部１１７は、ユーザの注意を喚起するものであればどのような手段でもよく、他の実施形態においては、例えば、嗜好判定部１１４の指示に応じて音を発生する手段であってもよい。また、通知部１１７は出力部１０４の表示装置によって構成され、嗜好判定部１１４の指示に応じて画面表示を変化させる手段であってもよい。
【００２９】
受信制御部１０５は、各構成要素に対して各種の動作の指示を与える。受信制御部１０５の動作の詳細は後述する（図３〜図６参照。）。また、以上の構成において、フロントエンド部１０１、多重分離部１０２、伸張部１０３、出力部１０４、および通知部１１７以外の構成要素は、典型的には、放送受信装置のＣＰＵおよびＲＡＭ等によって実現される。すなわち、当該構成要素は、放送受信装置のＣＰＵが所定のプログラム動作を行うことによって実現される。
【００３０】
次に、本実施形態に係る放送受信装置において行われる動作を説明する。図３は、本実施形態に係る放送受信装置の動作を示すフローチャートである。まず、受信制御部１０５は、ユーザがテレビ放送の視聴中であるか否かを判定する（ステップＳ３１）。具体的には、受信制御部１０５から出力状態判定部１０６に対して出力状態の通知が要求される。この要求に応答して、出力状態判定部１０６は、番組のコンテンツの映像が表示装置の画面に出力されているか否かを判定することによって、ユーザがテレビ放送の視聴中であるか否かを判定し、判定結果を受信制御部１０５に通知する。受信制御部１０５は、この判定結果を参照することによってステップＳ３１の判定を行う。
【００３１】
ステップＳ３１の判定において、テレビ放送の視聴中でないと判定された場合、受信制御部１０５は待機モード処理を行う（ステップＳ３２）。待機モード処理は、受信可能な各チャンネルの番組がユーザの嗜好と合致するか否かについて判定を行い、合致する場合にユーザに通知を行う処理である。待機モード処理の詳細は、図４に示されている。一方、ステップＳ３１の判定において、テレビ放送の視聴中であると判定された場合、受信制御部１０５は視聴モード処理を行う（ステップＳ３３）。視聴モード処理は、ユーザがチャンネル操作を行った場合に、当該操作後のチャンネルの番組がユーザの嗜好と合致するか否かについて判定を行い、合致する場合にユーザに通知を行う処理である。視聴モード処理の詳細は、図５に示されている。なお、待機モード処理または視聴モード処理が終了すると、受信制御部１０５はステップＳ３１の処理に戻る。
【００３２】
図４は、図３に示すステップＳ３２の詳細な処理を示すフローチャートである。まず、受信制御部１０５は、番組のサーチ中であるか否か、すなわち、ユーザの嗜好に合致するコンテンツの探索中であるか否かを判定する（ステップＳ４０１）。この判定は、番組のサーチ中であるか否かを示すサーチフラグに基づいて行われる。サーチフラグは、受信制御部１０５において記憶され、後述する処理によって内容（番組のサーチ中であることを示す内容、または、番組のサーチ中でないことを示す内容のいずれか）が変化する。なお、初期状態においては、サーチフラグは、番組のサーチ中であることを示すものとする。つまり、本実施形態では、放送受信装置の動作が開始され、テレビの視聴中でなければ、番組のサーチがまず開始される、すなわち、ステップＳ４０３以降の処理が行われる。
【００３３】
以下、ステップＳ４０１の判定において、番組のサーチ中であると判定された場合の処理を説明する。この場合、まず、受信制御部１０５は、受信可能な全てのチャンネルがサーチされたか否かを判定する（ステップＳ４０３）。この判定は、チャンネルリスト格納部１１０を参照することにより行われる。具体的には、受信制御部１０５は、後述するステップＳ４０５において決定されたチャンネルを記憶しておく。次に行われるステップＳ４０３においては、すでに記憶されているチャンネルとチャンネルリスト格納部１１０とが比較される。比較の結果、チャンネルリスト格納部１１０に格納されているチャンネルの中に、まだ記憶していないチャンネルがあれば、全てのチャンネルがサーチされていないと判定される。一方、チャンネルリスト格納部１１０に格納されているすべてのチャンネルが記憶されていれば、全てのチャンネルがサーチされたと判定される。
【００３４】
ステップＳ４０３の判定において、全てのチャンネルがサーチされたと判定された場合、受信制御部１０５は、番組のサーチ状態を解除し、待機モード処理を終了する（ステップＳ４０４）。具体的には、受信制御部１０５において設定されているサーチフラグが、サーチ中でないことを表す内容に更新される。これによって、次回のステップＳ４０１では、番組のサーチ中でないと判定され、番組のサーチが行われないこととなる。なお、ステップＳ４０４において、受信制御部１０５は、ステップＳ４０５において記憶したチャンネル（サーチ済みのチャンネル）をリセットする。これは、番組のサーチが次に行われる場合に、サーチ済のチャンネルと判断されることを防止するためである。
【００３５】
一方、ステップＳ４０３の判定において、全てのチャンネルがサーチされていないと判定された場合、受信制御部１０５は、サーチすべきチャンネルを決定する（ステップＳ４０５）。ここで、サーチすべきチャンネルに決定されるのは、チャンネルリスト格納部１１０に格納されているチャンネル中で、ステップＳ４０５においてまだ記憶されていないチャンネルのいずれか１つである。また、上述したように、ステップＳ４０５においてサーチすべきチャンネルに決定されたチャンネルは、受信制御部１０５に記憶される。
【００３６】
次に、受信制御部１０５は、フロントエンド部１０１に設定されている周波数を、サーチすべきチャンネルに対応した周波数に切り替える（ステップＳ４０６）。これによって、サーチすべきチャンネルの放送データが取得されるので、受信制御部１０５は、多重分離部１０２から番組情報を取得する（ステップＳ４０７）。具体的には、多重分離部１０２において放送データから分離された番組情報を番組情報格納部１１１に格納する。ステップＳ４０７においては、放送データに含まれる現番組情報および次番組情報のうち、少なくとも次番組情報が取得されればよい。なお、ステップＳ４０７では視聴中でないことが前提であるので、放送データから番組情報のみが取得され、映像／音声の再生を行う必要はない。つまり、伸張部１０３および出力部１０４は動作を行う必要がない。
【００３７】
次に、受信制御部１０５は、嗜好判定部１１４に次のステップＳ４０８〜Ｓ４１１の処理を行わせる。すなわち、嗜好判定部１１４は、受信された放送データに含まれるコンテンツがユーザの嗜好に合致するか否かを判定する（ステップＳ４０８）。なお、本実施形態においては、ステップＳ４０８の判定は、現時点で放送されている番組の次に放送される番組に関する番組情報、すなわち、次番組情報について行われる。具体的には、嗜好判定部１１４は、嗜好情報格納部１１２に格納されているジャンル情報の中に、ステップＳ４０７において番組情報格納部１１１に格納された次番組情報に含まれるジャンル情報と一致するものがあるか否かを判定する。
【００３８】
ステップＳ４０８の判定において、ユーザの嗜好に合致すると判定された場合、嗜好判定部１１４は、通知部１１７を一定期間振動させることによってユーザに通知を行い（ステップＳ４０９）、待機モード処理を終了する。
【００３９】
一方、ステップＳ４０８の判定において、ユーザの嗜好に合致しないと判定された場合、嗜好判定部１１４は、次番組時刻情報を更新するか否かを判定する（ステップＳ４１０）。この判定は、具体的には、直前のステップＳ４０７で取得された次番組情報に含まれる開始時刻の情報と、次番組時刻格納部１１３に格納されている次番組時刻情報とを比較することによって行われる。より具体的には、直前のステップＳ４０７で取得された次番組情報に含まれる開始時刻が、次番組時刻格納部１１３に格納されている次番組時刻情報により示される時刻よりも早い（現在時刻に近い）場合、次番組情報を更新すると判定される。逆に、直前のステップＳ４０７で取得された次番組情報に含まれる開始時刻が、次番組時刻格納部１１３に格納されている次番組情報により示される時刻よりも遅い（現在時刻から遠い）場合、次番組情報を更新しないと判定される。
【００４０】
さらに、ステップＳ４１０の判定において、次番組時刻情報を更新すると判定された場合、嗜好判定部１１４は、次番組時刻格納部１１３に格納されている次番組情報を更新する（ステップＳ４１１）。つまり、嗜好判定部１１４は、次番組時刻格納部１１３に格納されている次番組情報の内容を、直前のステップＳ４０７で取得された次番組情報に含まれる開始時刻に書き換える。以上のステップＳ４１０およびＳ４１１の処理によって、コンテンツがユーザの嗜好と合致しなかった番組のうち、最も早く放送が開始される番組の開始時刻が次番組時刻格納部１１３にて保持される。ステップＳ４１１が完了すると、待機モード処理が終了する。
【００４１】
なお、ステップＳ４０３〜Ｓ４１１に示す処理は、受信可能な全チャンネルについて行われる。従って、ユーザの嗜好に合致する番組が同じ時間帯に複数放送された場合、ステップＳ４０９の処理が複数回行われることになる。この場合、ステップＳ４０９の処理を以下のようにしてもよい。すなわち、ステップＳ４０８の次に通知処理を行うのではなく、全チャンネルをサーチした後で、通知処理を行う。このとき、ユーザの嗜好に合致する番組が複数ある場合、通知処理を複数回行ってもよいし、１回のみ行ってもよい。さらに、この場合、ユーザの嗜好に合致する番組に優先度を付し、最も優先度の高いもの、または、優先度の高いもの順に、番組のタイトル等を表示装置に表示するようにしてもよい。なお、番組に優先度を付す方法としては、例えば、嗜好情報格納部１１２において、嗜好情報と優先度とを対応付けて格納しておく方法が考えられる。具体的には、ステップＳ４０８において、ユーザの嗜好と合致するか否かの判定を行うとともに、嗜好情報格納部１１２を参照することによって優先度を決定することができる。
【００４２】
次に、ステップＳ４０１の判定において、番組のサーチ中でないと判定された場合の処理を説明する。この場合、受信制御部１０５は、電源処理を行う（ステップＳ４０２）。電源処理とは、番組のサーチを終了してから、次に番組のサーチを開始するまで、放送データの受信手段の電源、すなわち、受信電源をオフにする処理である。電源処理は、不要な電力消費を節減を図ることができるので、省電力化が特に要求される携帯端末にとって特に有効である。
【００４３】
図５は、図４に示すステップＳ４０２の詳細な処理を示すフローチャートである。図５において、まず、受信制御部１０５は、受信電源がオンであるか否かを判定する（ステップＳ５０１）。この判定は、受信制御部１０５は、電源制御部１０８から受信電源の電源状態（オンであるかオフであるか）を取得することによって行われる。受信電源がオンである場合、電源制御部１０８によって受信電源はオフにされる（ステップＳ５０２）。ステップＳ５０２の完了後、電源処理は終了する。
【００４４】
一方、受信電源がオフである場合、受信制御部１０５は、番組のサーチの開始を指示するか否か、すなわち、嗜好判定部１１４に対して判定の開始を指示するか否かを判定する（ステップＳ５０３）。具体的には、受信制御部１０５は、開始指示部１１６に次の処理を行わせる。すなわち、開始指示部１１６は、時計部１１５から取得される現在時刻と、次番組時刻格納部１１３に格納されている次番組時刻とを比較し、現在時刻が次番組時刻から所定の時間内（例えば、５分以内）である場合、番組のサーチの開始を指示すると判定する。逆に、現在時刻が次番組時刻から所定の時間内にない場合、番組のサーチを開始を指示しないと判定する。ここで、現在時刻が次番組時刻から所定の時間内であるか否かを判定の条件としたのは、次の番組が始まる前にユーザに対して通知を行うためである。例えば、所定時間を５分とすると、次の番組の開始時刻の５分前から番組のサーチを開始することができるので、次の番組が始まる前にユーザに対して通知をすることができる。
【００４５】
ステップＳ５０３の判定において、番組のサーチを開始すると判定された場合、受信制御部１０５は、受信電源をオンにする（ステップＳ５０４）。これによって、放送データの受信が可能となり、番組情報の取得が可能となる。次に、受信制御部１０５は、番組サーチ状態に設定する（ステップＳ５０５）。具体的には、受信制御部１０５において設定されているサーチフラグが、サーチ中であることを表す内容に更新される。これによって、次のステップＳ４０１における判定結果が肯定となるので、番組のサーチが開始される。ステップＳ５０５の処理の完了後、電源処理は終了する。さらに、図４の説明に戻り、電源処理の完了後、待機モード処理は終了する。以上で、待機モード処理の説明を終了する。
【００４６】
次に、視聴モード処理の詳細を説明する。図６は、図３に示すステップＳ３３の詳細な処理を示すフローチャートである。図６において、まず、受信制御部１０５は、ユーザによってチャンネル操作が行われたか否かを判定する（ステップＳ６０１）。具体的には、受信制御部１０５は、操作検出部１０７に対して、ユーザによるチャンネル操作を検出させる。操作検出部１０７は、ユーザによるチャンネル操作を検出した場合、チャンネル操作の情報を受信制御部１０５に出力する。チャンネル操作の情報を受けとった場合、受信制御部１０５は、チャンネル操作が行われたと判定する。
【００４７】
ステップＳ６０１における判定の結果、チャンネル操作が行われたと判定された場合、受信制御部１０５は、受け取ったチャンネル操作の情報とチャンネルリスト格納部１１０に格納されているチャンネルリストとに基づいて、切り替えるチャンネルを決定する（ステップＳ６０２）。この場合、さらに、受信制御部１０５は、フロントエンド部１０１に設定されている周波数を、決定したチャンネルに対応した周波数に切り替える（ステップＳ６０３）。ステップＳ６０３の後、ステップＳ６０６〜Ｓ６０９の一連の処理と、ステップＳ６１０〜Ｓ６１２の一連の処理とが、並行的に処理される。これらの処理については後述する。
【００４８】
一方、ステップＳ６０１における判定の結果、チャンネル操作が行われていないと判定された場合、受信制御部１０５は、選局情報が更新されたか否かを判定する（ステップＳ６０４）。具体的には、受信制御部１０５は、ステップＳ６０４の処理が行われる度に選局情報格納部１０９に格納されている選局情報の内容をチェックし、前回のチェック内容と今回のチェック内容とが同じであるか否かを判定する。判定の結果、前回のチェック内容と今回のチェック内容とが同じであれば、選局情報は更新されていないと判定される。逆に、前回のチェック内容と今回のチェック内容とが異なっていれば、選局情報は更新されたと判定される。
【００４９】
ステップＳ６０４の判定において、選局情報は更新されたと判定された場合、ステップＳ６０６〜Ｓ６０９の一連の処理が行われる。一方、選局情報は更新されていないと判定された場合、受信制御部１０５は、番組情報が更新されたか否かを判定する（ステップＳ６０５）。ステップＳ６０５の判定方法は、ステップＳ６０４と同様の方法で実行可能である。ステップＳ６０５の判定において、番組情報は更新されたと判定された場合、ステップＳ６１０〜Ｓ６１２の一連の処理が行われる。一方、番組情報は更新されていないと判定された場合、視聴モード処理は終了する。
【００５０】
次に、ステップＳ６０６〜Ｓ６０９の一連の処理を説明する。当該処理は、放送データに含まれるコンテンツを出力部１０４にて再生するための処理である。まず、受信制御部１０５は、多重分離部１０２に対して、選局情報の取得を開始させる（ステップＳ６０６）。具体的には、多重分離部１０２で分離した選局情報を選局情報格納部１０９に格納させる。以降、多重分離部１０２は、分離した選局情報を選局情報格納部１０９に随時格納する。次に、受信制御部１０５は、多重分離部１０２に対して、映像データおよび音声データの分離を開始させる（ステップＳ６０７）。この際、受信制御部１０５は、選局情報格納部１０９に格納されている選局情報から映像データおよび音声データの分離に関する情報を取得し、多重分離部１０２に設定しておく。
【００５１】
ステップＳ６０７の次に、受信制御部１０５は、伸張部１０３に対して、映像データおよび音声データの伸張（デコード）を開始させる（ステップＳ６０８）。さらに、受信制御部１０５は、出力部１０４に対して、伸張された映像データおよび音声データの出力を開始させて（ステップＳ６０９）、視聴モード処理を終了する。
【００５２】
次に、ステップＳ６１０〜Ｓ６１２の一連の処理を説明する。当該処理は、放送データに含まれるコンテンツがユーザの嗜好に合致する場合、ユーザに対して通知を行うための処理である。まず、受信制御部１０５は、多重分離部１０２に対して、番組情報の取得を開始させる（ステップＳ６１０）。具体的には、多重分離部１０２で分離した番組情報を番組情報格納部１１１に格納させる。以降、多重分離部１０２は、分離した番組情報を番組情報格納部１１１に随時格納する。
【００５３】
ステップＳ６１０の次に、受信制御部１０５は、嗜好判定部１１４に次のステップＳ６１１〜Ｓ６１２の処理を行わせる。すなわち、嗜好判定部１１４は、受信された放送データに含まれるコンテンツがユーザの嗜好に合致するか否かを判定する（ステップＳ６１１）。ステップＳ６１１における判定の具体的な方法は、図４に示すステップＳ４０８と同様である。ステップＳ６１１の判定において、ユーザの嗜好に合致すると判定された場合、嗜好判定部１１４は、通知部１１７を一定期間振動させることによってユーザに通知を行い（ステップＳ６１２）、視聴モード処理を終了する。一方、ユーザの嗜好に合致しないと判定された場合、嗜好判定部１１４は、ステップＳ６１２の処理をスキップして、視聴モード処理を終了する。以上により、視聴モード処理は完了する。
【００５４】
以上のように、本実施形態によれば、視聴中でない場合において、ユーザの嗜好に合致した番組がサーチされるので、ユーザが所望する番組を見逃すことを防止することができる。
【００５５】
なお、本実施形態においては、コンテンツがユーザの嗜好に合致するか否かの判定は、番組のジャンルを示す情報を用いて行われた。ここで、他の実施形態においては、ユーザの嗜好に合致するか否かの判定は、他の情報を用いて行われてもよい。例えば、番組ＩＤ、番組のタイトル、番組の内容の詳細な情報等（図２参照）を用いて行われてもよい。また、嗜好情報格納部１１２における嗜好情報は、ユーザによって事前に登録されてもよいし、例えば過去の視聴履歴を利用して自動的に登録・変更を行うようにしてもよい。
【００５６】
また、本実施形態においては、放送データには次番組情報が含まれており、図４に示すステップＳ４０８や図６に示すステップＳ６１１の判定処理は、当該次番組情報について行われた。ここで、他の実施形態においては、現時点で放送されている番組に関する番組情報、すなわち、現番組情報について当該判定処理を行うようにしてもよい。
【００５７】
ただし、現番組情報について判定処理を行う場合、放送が開始される前に当該判定処理を行うことはできず、放送が開始された後、すなわち、現番組情報により示される番組のコンテンツを含む放送データが受信された後でしか当該判定処理を行うことができない。従って、ユーザへの通知は、番組が始まってから行われてしまい、その結果、ユーザは、番組の冒頭部分を見逃してしまうおそれがある。これに対して、本実施形態のように次番組情報について判定処理を行うことによって、放送が開始される前に当該判定処理を行うことができるので、ユーザは番組を最初から視聴することができる。
【００５８】
また、本実施形態においては、ユーザの嗜好に合致する番組のサーチ処理（図４に示すステップＳ４０３〜Ｓ４０８の処理）を、次番組の開始される時刻の所定時間前の時刻以降に行うこととした。そして、当該判定処理によってユーザの嗜好に合致する番組があった場合、すぐに通知を行うこととした。これに対して、他の実施形態においては、所定の時間間隔で当該サーチ処理を行うようにしてもよい。さらに、所定の時間間隔で当該サーチ処理を行う場合、ユーザへの通知は、ユーザの嗜好に合致すると判定された時点で行われてもよいし、番組の開始時刻まで待ってから行われてもよい。ユーザの嗜好に合致すると判定された時点で通知する場合、当該通知に伴い、開始時刻を表示装置に表示させるようにしてもよい。なお、開始時刻は、判定の対象である番組の開始時刻の情報から得ることができる。また、番組の開始時刻まで待ってから通知を行う場合も同様に、開始時刻は、判定の対象である番組の開始時刻の情報から得ることができる。
【００５９】
さらに、他の実施形態においては、通知部１１７による通知に変化をつけてもよい。例えば、番組に対する嗜好の度合や、番組の開始時刻（例えば、すでに開始しているか、または、まだ開始されていないか）に応じて、通知方法を変化させてもよい。番組に対する嗜好の度合は、優先度によって表現することができる。具体的には、嗜好情報格納部１１２において、嗜好情報と優先度とを対応付けて格納しておき、ユーザへの通知を行う際に当該優先度に基づいて通知方法を変化させる。なお、通知方法の変化は、通知方法のパターンを変化させるものでもよいし、通知方法の種類を変化させるものであってもよい。例えば、優先度に応じて振動パターンを変化させるものであってもよいし、優先度が低い場合はブザー音によって通知し、優先度が高い場合は振動によって通知するものであってもよい。
【図面の簡単な説明】
【図１】本発明の一実施形態に係る放送受信装置の構成を示すブロック図である。
【図２】本実施形態に係る放送受信装置が受信する放送データの内容を示す図である。
【図３】本実施形態に係る放送受信装置の動作を示すフローチャートである。
【図４】図３に示すステップＳ３２の詳細な処理を示すフローチャートである。
【図５】図４に示すステップＳ４０２の詳細な処理を示すフローチャートである。
【図６】図３に示すステップＳ３３の詳細な処理を示すフローチャートである。
【符号の説明】
１０５  受信制御部
１０６  出力状態判定部
１０７  操作検出部
１０８  電源制御部
１１４  嗜好判定部
１１６  開始指示部
１１７  通知部
【図１】
2004282638.tif 000003
【図２】
2004282638.tif 000004
【図３】
2004282638.tif 000005
【図４】
2004282638.tif 000006
【図５】
2004282638.tif 000007
【図６】
2004282638.tif 000008